(57)【要約】【課題】字幕情報が示す発言内容の発言者を容易に特定することが可能な放送受信機を提供する。【解決手段】チューナ部１、ＯＦＤＭ復調部２にて強階層と弱階層とを受信復調した放送信号をデコーダ部５にてデコードした結果、強階層と弱階層とがサイマル放送であることをサイマル判定部１０にて判定した際に、出力映像として強階層を選択していた場合、選択した強階層の字幕情報に代えて、サイマル放送されている弱階層の字幕情報を、字幕表示位置計算部１１にて、強階層用として表示するための編集字幕情報に変換して、遅延回路制御部１２にて、強階層の映像情報と同期化させて表示する。字幕表示位置計算部１１は、強階層の映像フォーマット情報と弱階層の映像フォーマット情報とにより、弱階層の字幕情報の表示位置、表示領域、文字サイズを少なくとも含む字幕制御情報を、強階層用の編集字幕制御情報として変換することにより、編集字幕情報を作成する。【選択図】図１
2009171393.tif 000002
【特許請求の範囲】
【請求項１】
放送信号を受信する放送受信機において、第１の放送番組の内容と第２の放送番組の内容とが同一である場合、前記第２の放送番組の字幕情報を、前記第１の放送番組の字幕情報に代えて表示することを特徴とする放送受信機。
【請求項２】
前記第２の放送番組の字幕情報を、前記第１の放送番組の字幕情報に代えて表示する際に、前記第２の放送番組の映像フォーマット情報に基づいた前記第２の放送番組の字幕情報の表示位置、表示領域、文字サイズを少なくとも含む字幕制御情報を、前記第１の放送番組映像フォーマット情報に基づいて前記第１の放送番組の字幕制御情報として変換することを特徴とする請求項１に記載の放送受信機。
【請求項３】
前記字幕制御情報として算出された前記字幕情報の文字サイズが、あらかじめ定めた文字サイズ閾値よりも小さくなる場合、前記字幕情報を、文字サイズが前記文字サイズ閾値以上になるまでの個数の字幕情報に分割して生成することを特徴とする請求項２に記載の放送受信機。
【請求項４】
受信している放送の受信状態があらかじめ定めた条件以下までに劣化した際に、サイマル放送されている、より強い受信感度の放送に自動的に切り替える場合、前記受信していた放送の字幕情報および該字幕情報に関する字幕制御情報を正しくデコードすることができたか否かを確認し、デコードすることができた場合には、前記受信していた放送の字幕情報に基づいて字幕情報を編集して、より強い受信感度の放送の字幕情報に代えて、より強い受信感度の放送の映像情報上に表示することを特徴とする請求項１ないし３のいずれかに記載の放送受信機。
【請求項５】
放送信号を受信する放送受信方法であって、第１の放送番組の内容と第２の放送番組の内容とが同一である場合、前記第２の放送番組の字幕情報を、前記第１の放送番組の字幕情報に代えて表示することを特徴とする放送受信方法。
【請求項６】
請求項５に記載の放送受信方法を、コンピュータによって実行することが可能なプログラムとして実施していることを特徴とする放送受信プログラム。
【発明の詳細な説明】
【技術分野】
【０００１】
本発明は、放送受信機、放送受信方法および放送受信プログラムに関し、特に、複数のデジタル放送信号を受信する放送受信機、放送受信方法および放送受信プログラムに関する。
【背景技術】
【０００２】
我が国の地上波デジタル放送の技術基準としてＩＳＤＢ−Ｔ（Integrated  Services  Digital  Broadcasting  for  Terrestrial）方式が策定されているが、該ＩＳＤＢ−Ｔ方式の最大の特徴は、伝送帯域を１３セグメントに分割して、セグメント単位に変調方式を変更して、最大３階層の変調方式を同時に伝送することができる点にある。例えば、２階層で伝送する場合であれば、１３セグメントのうち、１２セグメントを用いて、固定放送受信機向けに高精細放送（ＨＤＴＶ：High  Definition  Television）を提供すると同時に、１セグメントを用いて、携帯端末向けの簡易放送を提供することができる。
【０００３】
固定放送受信機向けの場合、１９２０×１０８０ドットの横長大画面向けのコンテンツ情報（映像、音声、字幕など）のみならず、コンテンツの出力形式や番組関連情報などの豊富で詳細な付属情報（制御情報）を付加した放送情報を、固定放送受信用の変調方式つまり弱階層として伝送する。一方、携帯端末向けの場合、簡易な映像伝送を行うために、３２０×２４０ドットの小画面向けコンテンツ情報（映像、音声、字幕など）や少量の付属情報（制御情報）を、ノイズやマルチパスに強い変調方式つまり強階層として伝送する。字幕の制御情報（表示文字の改行、画面消去、文字色指示等の情報）として「字幕の制御符号」という用語を用いている場合もある。
【０００４】
地上デジタル放送を受信する従来の放送受信機は、特許文献１の特開２００４−１８６９８２号公報「地上デジタル受信機」にも記載されているように、図６のような構成となっている。図６は、従来の放送受信機のブロック構成を示すブロック構成図である。図６に示す従来の放送受信機は、チューナ部２１、ＯＦＤＭ復調部２２、ＤＥＭＵＸ部２３、ＣＰＵ２４、デコーダ部２５、Ｄ／Ａ部２６、ＯＳＤ部２７、音声出力部２８、および、映像出力部２９を備えて構成されている。
【０００５】
チューナ部２１は、アンテナで受信した放送電波の中から、指定したチャンネルの放送電波を抽出するものであり、受信する階層を指定することができ、弱階層の１２セグメントのみを抽出したり、強階層の１セグメントのみを抽出したり、弱階層の１２セグメントと強階層の１セグメントとの双方を同時に抽出したりすることができる。ＯＦＤＭ復調部２２は、ＯＦＤＭ（Orthogonal  Frequency  Division  Multiplexing：直交周波数分割多重）方式の信号を強階層、弱階層の変調方式に対応する形で復調する。ＤＥＭＵＸ部２３は、復調した放送信号に多重化されている強階層、弱階層の映像情報、音声情報、字幕情報、付属情報（制御情報）などを分離する。デコーダ部２５は、ＤＥＭＵＸ部２３により分離した強階層、弱階層の映像情報、音声情報、字幕情報、付属情報（制御情報）などをデコードし、デコードした字幕情報、付属情報（制御情報）は、ＣＰＵ２４に転送する。
【０００６】
ＣＰＵ２４は、プログラム論理によって動作し、字幕情報や付属情報（制御情報）を受け取って、出力すべき各種の情報を編集するとともに、放送受信機の各回路ブロックの動作を制御するものである。Ｄ／Ａ部２６は、デコーダ部２５によりデコードされた音声情報をアナログ信号に変換する。ＯＳＤ部２７は、ＣＰＵ２４からの図形情報や字幕情報の編集結果を映像情報上に合成して、ＯＳＤ（On  Screen  Display）表示可能な合成映像情報形式に編集する。音声出力部２８は、Ｄ／Ａ部２６からの音声情報をスピーカなどから出力する。映像出力部２９は、ＯＳＤ部２７からの合成映像情報を、モニタ画面に画面表示する。
【０００７】
以上の各回路ブロックの説明からも明らかなように、図６のブロック構成による放送受信機は、各階層の放送信号うち、受信する階層を指定して、指定した階層で送出されている放送信号を抽出して、該放送信号に含まれている映像情報、音声情報、字幕情報を、モニタ画面やスピーカから出力する。携帯端末の場合、前述のように、１セグメント放送として強階層の放送信号を受信するように構成される。
【特許文献１】特開２００４−１８６９８２号公報（第５−７頁）
【発明の開示】
【発明が解決しようとする課題】
【０００８】
携帯端末などに使用される従来の放送受信機は、強階層の放送信号を受信して画面表示する場合、ＩＳＤＢ−Ｔ方式に準拠した強階層で放送されている放送信号（映像情報、音声情報、字幕情報、付属情報（制御情報））を、前述のように、そのまま使用して、画面表示していた。
【０００９】
しかしながら、ＩＳＤＢ−Ｔ方式においては、強階層の字幕情報の出力形式を制御する制御情報として、モニタ画面上に表示する表示位置や表示領域を指定する情報は含まれておらず、モニタ画面上のあらかじめ定めた特定の位置に、字幕情報が表示される仕様になっている。このため、例えば、複数の人物が会話している映像がモニタ画面上に表示された場合、字幕情報として表示されている会話情報が、どの人物が話しているものかを理解することが簡単にはできない場合が生じる。
【００１０】
例えば、図７に示すモニタ画面の場合、２人の人物が会話している映像が表示され、字幕情報を表示する特定の位置として、そのモニタ画面の下側の左に、例えば「はじめまして。」と会話内容が表示される。しかし、この「はじめまして。」の字幕の会話内容が、２人のうちどちらの人物が発言しているのかを、容易には把握することができない。しかる後、図７の画面が表示されてから一定時間経過した画面として、図８のような字幕情報「ようこそ」が、モニタ画面の下側の左に表示されたとしても、図７の場合と同様、２人のうち、どちらの人物が発言しているのかを、容易には把握することができない。図７、図８は、いずれも、従来の放送受信機の問題を説明するための説明図であり、強階層の字幕情報の従来のモニタ画面の表示例を示している。
【００１１】
本発明は、かかる問題を解決するためになされたものであり、デジタル放送において、字幕情報が示す発言内容の発言者を容易に特定することが可能な放送受信機、放送受信方法および放送受信プログラムを提供することを、その目的としている。
【課題を解決するための手段】
【００１２】
前述の課題を解決するため、本発明による放送受信機、放送受信方法および放送受信プログラムは、次のような特徴的な構成を採用している。
【００１３】
（１）放送信号を受信する放送受信機において、第１の放送番組の内容と第２の放送番組の内容とが同一である場合、前記第２の放送番組の字幕情報を、前記第１の放送番組の字幕情報に代えて表示する放送受信機。
（２）前記第２の放送番組の字幕情報を、前記第１の放送番組の字幕情報に代えて表示する際に、前記第２の放送番組の映像フォーマット情報に基づいた前記第２の放送番組の字幕情報の表示位置、表示領域、文字サイズを少なくとも含む字幕制御情報を、前記第１の放送番組映像フォーマット情報に基づいて前記第１の放送番組の字幕制御情報として変換する上記（１）の放送受信機。
（３）前記字幕制御情報として算出された前記字幕情報の文字サイズが、あらかじめ定めた文字サイズ閾値よりも小さくなる場合、前記字幕情報を、文字サイズが前記文字サイズ閾値以上になるまでの個数の字幕情報に分割して生成する上記（２）の放送受信機。
（４）受信している放送の受信状態があらかじめ定めた条件以下までに劣化した際に、サイマル放送されている、より強い受信感度の放送に自動的に切り替える場合、前記受信していた放送の字幕情報および該字幕情報に関する字幕制御情報を正しくデコードすることができたか否かを確認し、デコードすることができた場合には、前記受信していた放送の字幕情報に基づいて字幕情報を編集して、より強い受信感度の放送の字幕情報に代えて、より強い受信感度の放送の映像情報上に表示する上記（１）ないし（３）のいずれかの放送受信機。
（５）放送信号を受信する放送受信方法であって、第１の放送番組の内容と第２の放送番組の内容とが同一である場合、前記第２の放送番組の字幕情報を、前記第１の放送番組の字幕情報に代えて表示する放送受信方法。
（６）上記（５）の放送受信方法を、コンピュータによって実行することが可能なプログラムとして実施している放送受信プログラム。
【発明の効果】
【００１４】
本発明の放送受信機、放送受信方法および放送受信プログラムによれば、以下のような効果を得ることができる。
【００１５】
第１の効果は、表示方法を制御する制御情報（付属情報）が少ない階層の放送信号（第１の放送信号）例えば強階層の放送信号を受信して表示している状態であっても、該階層例えば強階層の映像情報上に、より豊富な制御情報（付属情報）を有する階層の放送信号（第２の放送信号）の字幕情報例えば弱階層の字幕情報から編集された字幕情報が表示されるので、字幕情報の発言内容を発言した発言者の近くに当該字幕情報を表示することが可能になり、どの人物の会話内容が字幕情報として表示されているかということを簡単に特定することができるという点にある。
【００１６】
第２の効果は、指定したチャンネルの受信状態があらかじめ定めた閾値以下に劣化したために、映像情報や音声情報を現在の階層よりもノイズやマルチパス等に強い階層に自動的に切り替える際に、例えば、弱階層から強階層に自動的に切り替える際に、当該チャンネルの双方の階層例えば弱階層と強階層とのサイマル放送がなされていることを確認すると同時に、字幕情報および字幕情報に関する付属情報（制御情報）を正しくデコードすることができた場合には、ノイズ等に対してより強い階層例えば強階層の映像情報の上に、自動的に、現在の階層例えば弱階層の字幕情報に基づいて編集された字幕情報を自動的に表示させることにより、より強い階層例えば強階層の映像情報に切り替えられても、どの人物の会話内容が字幕情報として表示されているかということを簡単に特定することができるという点にある。
【発明を実施するための最良の形態】
【００１７】
以下、本発明による放送受信機、放送受信方法および放送受信プログラムの好適な実施形態について添付図を参照して説明する。なお、以下の説明においては、本発明による放送受信機、放送受信方法について説明するが、かかる放送受信方法をコンピュータにより実行可能な放送受信プログラムとして実施するようにしても良いことは言うまでもない。なお、以下の説明においては、第１の放送信号と第２の放送信号として強階層と弱階層との２つの階層のデジタル放送信号を受信する放送受信機の場合を例にとって説明するが、本発明による放送受信機は、２つの階層のみに限らず、２つ以上の複数の階層のデジタル放送信号を受信するものであれば、如何なるものであっても全く同様である。
【００１８】
（本発明の実施形態の構成例）
図１は、本発明による放送受信機のブロック構成の一例を示すブロック構成図であり、地上デジタル放送の放送信号を受信する放送受信機の構成例を示している。図１に示す放送受信機は、強階層の放送信号中に含まれている字幕情報の表示位置、表示領域を、字幕情報の発言内容の発言者を容易に特定することが可能な位置、領域に表示することを実現しており、携帯端末などに搭載される１セグメント放送受信機向けなどに対して好適に適用することができる。
【００１９】
図１に示す放送受信機は、チューナ部１、ＯＦＤＭ復調部２、ＤＥＭＵＸ部３、ＣＰＵ４、デコーダ部５、Ｄ／Ａ部６、ＯＳＤ部７、音声出力部８、映像出力部９、サイマル判定部１０、字幕表示位置計算部１１、および、遅延回路制御部１２を少なくとも備えて構成されている。図１の放送受信機を構成する各回路ブロックのうち、サイマル判定部１０、字幕表示位置計算部１１、および、遅延回路制御部１２を除く各回路ブロックすなわちチューナ部１、ＯＦＤＭ復調部２、ＤＥＭＵＸ部３、ＣＰＵ４、デコーダ部５、Ｄ／Ａ部６、ＯＳＤ部７、音声出力部８、映像出力部９については、図６に示す従来の放送受信機におけるチューナ部２１、ＯＦＤＭ復調部２２、ＤＥＭＵＸ部２３、ＣＰＵ２４、デコーダ部２５、Ｄ／Ａ部２６、ＯＳＤ部２７、音声出力部２８、映像出力部２９と、それぞれ、同様の機能を有している。
【００２０】
つまり、チューナ部１は、アンテナで受信した放送電波の中から、指定したチャンネルの放送電波を抽出するものであり、受信する階層を指定することができ、弱階層の１２セグメントのみを抽出したり、強階層の１セグメントのみを抽出したり、弱階層の１２セグメントと強階層の１セグメントとの双方を同時に抽出したりすることができる。あるいは、中階層用に、１２セグメントのうち、９セグメントを高精細放送（ＨＤＴＶ：High  Definition  Television）用、３セグメントを標準放送（ＳＤＴＶ：Standard  Definition  Television）用として分離したいずれかを抽出することもできる。なお、本実施形態においては、弱階層の１２セグメントと強階層の１セグメントとの双方を同時に抽出する状態にチューナ部１を設定している場合について示している。
【００２１】
ＯＦＤＭ復調部２は、ＯＦＤＭ（Orthogonal  Frequency  Division  Multiplexing：直交周波数分割多重）方式の信号を強階層、弱階層の変調方式に対応する形で復調する。ＤＥＭＵＸ部３は、復調した放送信号に多重化されている強階層、弱階層の映像情報、音声情報、字幕情報、付属情報（制御情報）などを分離する。デコーダ部５は、ＤＥＭＵＸ部３により分離した強階層、弱階層の映像情報、音声情報、字幕情報、付属情報（制御情報）などをデコードし、デコードした字幕情報、付属情報（制御情報）は、ＣＰＵ４、サイマル判定部１０に転送する。
【００２２】
ＣＰＵ４は、プログラム論理によって動作し、字幕情報や付属情報（制御情報）を受け取って、ＯＳＤ部７等に出力すべき各種の情報を編集するとともに、放送受信機の各回路ブロックの動作を制御するものである。Ｄ／Ａ部６は、デコーダ部５によりデコードされた音声情報をアナログ信号に変換する。ＯＳＤ部７は、ＣＰＵ４や遅延回路制御部１２からの図形情報や字幕情報の編集結果を映像情報上に合成して、ＯＳＤ（On  Screen  Display）表示可能な合成映像情報形式に編集する。音声出力部８は、Ｄ／Ａ部６からの音声情報をスピーカなどから出力する。映像出力部９は、ＯＳＤ部７からの合成映像情報を、モニタ画面に画面表示する。
【００２３】
また、図１の放送受信機において、図６の従来の放送受信機には備えられていない回路ブロックとして新しく追加して備えている回路ブロックすなわちサイマル判定部１０、字幕表示位置計算部１１、および、遅延回路制御部１２は、それぞれ以下のような機能を有する回路ブロックである。
【００２４】
サイマル判定部１０は、デコーダ部５からの付属情報（制御情報）に基づいてサイマル放送の有無を判定するものであり、受信した放送信号が、１２セグメントの弱階層の放送信号と１セグメントの強階層の放送信号とで同一の放送内容を同時に受信しているか否かを判定する。ここで、サイマル放送の有無の判定技術については、従来技術と同様、例えば、受信した放送信号に含まれる電子番組表情報に基づき、少なくとも放送番組名、放送ジャンル、放送時間帯などのいずれか一つ以上を用いて判定するようにしてもかまわない。
【００２５】
字幕表示位置計算部１１は、サイマル判定部１０にて、受信した弱階層と強階層との放送信号がサイマル放送であることが判別された場合に起動され、同時に受信している弱階層の付属情報（制御情報）に含まれている当該弱階層における字幕情報の少なくとも表示位置、表示領域、表示文字サイズを参照することにより、強階層の映像情報上の字幕情報の表示位置、表示領域、表示文字サイズ等を計算し、計算した表示位置、表示領域に、計算した文字サイズに変換した弱階層の字幕情報を編集字幕情報として編集する。これにより、強階層の映像情報上に合成して表示される字幕情報の表示位置を、当該字幕情報の発言内容の発言者の近傍に変更して表示させることが可能になる。
【００２６】
遅延回路制御部１２は、字幕表示位置計算部１１によって計算された字幕情報の表示位置に、字幕表示位置計算部１１により計算された編集字幕情報を表示すべきタイミングを調整するものであり、編集字幕情報と映像情報との同期化を図る。なお、編集されているか否かに関わらず字幕情報を表示するタイミングを調整するための遅延回路の構成に関しては、字幕情報や映像情報や音声情報を入出力するタイミングを制御する例えばフレームメモリを用いてもかまわない。
【００２７】
（図１の放送受信機の動作例）
図１に示す放送受信機は、前述のように、指定したチャンネルで放送されている強階層の字幕情報を、強階層としてあらかじめ定められているモニタ画面上の特定の位置にそのまま表示しないで、より豊富な付属情報（字幕情報に関する制御情報など）を有している弱階層の放送信号をサイマル放送として同時に受信している場合であれば、弱階層の字幕情報の表示位置、表示領域などを参照することによって、強階層の映像情報上の字幕情報の表示位置や表示領域などを調整して、弱階層の字幕情報を編集した編集字幕情報を、強階層の字幕情報に代えて、表示する。而して、字幕情報として発言内容が表示される場合に、一般に、当該発言内容の発言者が容易に特定可能な表示形式とされる弱階層の場合と同等の表示形式（表示位置、表示領域）で、強階層の映像情報上に字幕情報を表示することができる。
【００２８】
具体的な処理手順について、図２のフローチャートを用いて説明する。図２は、本発明による放送受信機の動作の一例を説明するためのフローチャートであり、図１の放送受信機における字幕表示位置の調整処理に関する具体的な処理手順の一例を示している。
【００２９】
図１に示す放送受信機においては、チューナ部１にて受信した放送信号を、ＯＦＤＭ復調部２にて復調し、ＤＥＭＵＸ部３で、強階層および弱階層の映像情報、音声情報、字幕情報、付属情報（制御情報）を分離し、デコーダ部５でデコードする。デコーダ部５でデコードされた強階層および弱階層それぞれの字幕情報、ならびに、映像情報の映像フォーマットや音声情報の出力形式や字幕情報の出力形式に関する情報、電子番組表などを構成する付属情報（制御情報）は、サイマル判定部１０、ＣＰＵ４に転送される。ここで、字幕情報に着目して、字幕情報の表示位置、表示領域、表示文字サイズを調整する処理手順について、図２のフローチャートにしたがって説明する。
【００３０】
まず、弱階層の字幕情報をデコーダ部５にてデコードした結果をＣＰＵ４にて取得すると（ステップＳ１）、該字幕情報のテキスト（文字列）と制御情報とを一旦記憶する（ステップＳ２）。しかる後、デコーダ部５から転送されてきた付属情報（制御情報）の中から弱階層の映像情報に関する映像フォーマット情報をＣＰＵ４にて取得して一旦記憶する（ステップＳ３）。さらに、デコーダ部５にてデコードした強階層の字幕情報と映像フォーマット情報とを取得して一旦記憶する（ステップＳ４）。なお、字幕の付属情報（制御情報）は、いわゆる「字幕の制御符号」のことであり、例えば、表示文字の改行、画面消去、文字色指示等の情報を少なくとも含む情報である。
【００３１】
次に、強階層と弱階層とが同じ放送番組を同時放送しているサイマル放送か否かをサイマル判定部１０にて判定した判定結果に基づいて、ＣＰＵ４にて、受信中のチャンネルがサイマル放送か否かを判定する（ステップＳ５）。サイマル放送ではなかった場合は（ステップＳ５のＮＯ）、強階層の字幕情報は、強階層の表示位置として特定されている映像情報上の位置にそのままＯＳＤ部７にて合成して、映像出力部９から出力されることになる（ステップＳ１１）。この結果、従来技術と同様になり、例えば図７、図８の従来例に示したように、字幕情報はモニタ画面の下側付近に表示されてしまい、複数の人物の会話場面が映像表示されていた場合、どの人物の会話内容が字幕表示されているか簡単には把握することができない。
【００３２】
一方、受信中のチャンネルが弱階層と強階層とにおいてサイマル放送されていた場合（ステップＳ５のＹＥＳ）、字幕表示位置計算部１１において、弱階層の字幕情報に関する制御情報や映像フォーマット情報および強階層の映像フォーマット情報に基づいて、編集字幕情報として、弱階層の字幕情報を強階層用の字幕情報に変換する際の強階層の映像情報上の字幕情報の表示位置、表示サイズ、テキスト（文字列）の文字サイズなどを少なくとも含む編集字幕制御情報を算出する（ステップＳ６）。
【００３３】
つまり、まず、ステップＳ３において一旦記憶しておいた弱階層の映像フォーマット情報とステップＳ４において一旦記憶しておいた強階層の映像フォーマット情報とに基づいて、両者の画面表示サイズの比率を算出する。例えば、弱階層の画面表示サイズが１，９２０×１，０８０ドットであり、強階層の画面表示サイズが３２０×２４０ドットであった場合には、弱階層と強階層との画面表示サイズ比は、横方向が６：１、縦方向が４．５：１と算出される。
【００３４】
次いで、字幕表示位置計算部１１においては、算出された弱階層と強階層との画面表示サイズ比を基にして、ステップＳ２において一旦記憶しておいた弱階層の字幕情報の制御情報つまり字幕情報の表示位置や表示領域を、強階層の字幕情報用の編集表示位置や編修表示領域に変換して、強階層用の編集字幕制御情報として編集する。
【００３５】
例えば、弱階層の字幕情報の表示位置が弱階層の画面上の座標位置（１０７０，３０）と右上方向にあり、表示領域が６２０×４８０のサイズであった場合には、前述した画面表示サイズ比の横方向６：１、縦方向４．５：１を基づいた比例計算をして、対応する強階層の字幕情報の表示位置は、（１７８，７）であり、表示領域は１０３×１０７となる。さらに、字幕情報の表示領域のサイズの変換比率に応じて、弱階層の字幕情報を構成するテキスト（文字列）情報の文字サイズも同様に変換されて、強階層用のテキスト（文字列）情報つまり編集字幕情報として編集される。
【００３６】
さらに、字幕表示位置計算部１１においては、強階層用に編集されたテキスト情報つまり編集字幕情報について、変換された強階層用の文字サイズを、あらかじめ設定された文字サイズ閾値と比較して（ステップＳ７）、変換された強階層用の文字サイズが前記文字サイズ閾値よりも小さい場合（ステップＳ７のＹＥＳ）、字幕情報のテキストの文字を視認することが困難であるものとして、編集字幕情報のテキストを前記文字サイズ閾値以上の文字サイズになる個数の字幕情報に分割して表示するように編集し直す（ステップＳ８）。
【００３７】
ここで、編集字幕情報を複数に分割したそれぞれの字幕情報のテキストを表示する表示時間については、弱階層の字幕情報の制御情報に含まれている表示時間情報に基づいて、算出する。例えば、弱階層の字幕情報のテキストが「あいうえおかきくけこ」の１０文字であり、弱階層の字幕情報の制御符号に含まれている表示時間情報として２秒間表示する旨が設定されていた場合であって、ステップＳ８において、「あいうえお」と「かきくけこ」との２つの５文字ずつのテキストに字幕情報を分割した場合には、それぞれのテキストの表示時間は、１秒ずつとなる。
【００３８】
しかる後、強階層用として編集された編集字幕制御情報や編集字幕情報は、遅延回路制御部１２において、映像情報つまり映像ＥＳ(Elementary  Stream)と同期させるために、ＯＳＤ部７へ出力するタイミングの調整が行われる（ステップＳ９）。編集字幕制御情報や編集字幕情報が遅延回路制御部１２からＯＳＤ部７に出力されてくると、編集字幕情報は、編集字幕制御情報が示す強階層の映像情報上の表示位置や表示領域内に字幕情報として合成されて、映像出力部９から出力される（ステップＳ１０）。
【００３９】
この結果、強階層の映像情報上に、弱階層の字幕情報から編集された字幕情報が、該映像情報とのタイミングが同期化された状態で表示されることになり、かつ、複数の人物の会話場面が映像表示されていた場合、従来技術のように、字幕情報が、特定の位置に固定して表示されることなく、発言者の近くに表示されることになり、どの人物の会話内容が字幕情報として表示されているかということを簡単に特定することができる。
【００４０】
例えば、図３に示すモニタ画面の場合、２人の人物が会話している映像が表示され、字幕情報を表示する位置として、例えば「はじめまして。」との発言内容が、発言者の近傍の画面左下に表示される。したがって、「はじめまして。」との発言内容の発言者は画面左側の人物であることを容易に把握することができる。しかる後、図３の画面が表示されてから一定時間経過した画面として、図４のような字幕情報「ようこそ」が、発言者の近傍の画面右上に表示されるので、図３の場合と同様、２人のうち、どちらの人物が発言しているのかを、容易に把握することができる。図３、図４は、いずれも、本発明による放送受信機の動作の一例を説明するための説明図であり、強階層の字幕情報のモニタ画面上の表示例を示している。
【００４１】
以上に説明したように、本実施形態においては、弱階層のように、強階層よりもより詳細な制御情報を有する異なる階層の字幕情報を流用して、該字幕情報を表示することを特徴としているものであり、かつ、字幕情報を流用して表示するに当って、字幕情報を流用する異なる階層の映像フォーマット情報、字幕情報に関する制御情報と当該階層の映像フォーマット情報とを基にして、当該階層の字幕情報の表示位置や表示領域や文字サイズを算出して、編集した字幕情報として表示することを特徴としている。
【００４２】
（他の実施形態）
受信状態があらかじめ定めた条件以下にまで劣化したか否かに応じて、弱階層と強階層とを自動的に切り替える放送受信機においては、例えば、ＢＥＲ（Bit  Error  Rate）、ＣＮ（Carrier  to  Noise  Ratio）、ＳＮ（Signal  to  Noise  Ratio）などが所定の閾値以下に下回った場合などのように、受信状態が劣化した場合には、弱階層の映像情報をデコードしても、ブロックノイズが発生してしまうことから、強階層に自動的に切り替えることが多い。かくのごとく、受信状態が劣化したために、弱階層から強階層に自動的に切り替える際にも、複数の人物の会話場面において、字幕情報の発言内容の発言者を容易に把握することができるように、前述の実施形態にて説明したように、字幕情報のみは弱階層の字幕情報を流用するようにしても良い。
【００４３】
このような放送信号の受信状態を考慮する場合の具体的な処理手順を、図５のフローチャートに示す。図５は、本発明による放送受信機の動作の図２とは異なる例を説明するためのフローチャートであり、受信状態の劣化により、弱階層から強階層に切り替えた際に、字幕情報を、弱階層のものを編集して使用する場合の動作例を示している。
【００４４】
図５のフローチャートにおいて、まず、放送信号の受信状態があらかじめ定めた閾値以下に劣化しているか否かを判定する（ステップＳ２１）。受信状態が閾値以下に劣化していると判定した場合は（ステップＳ２１のＹＥＳ）、サイマル判定部１０を用いて、指定したチャンネルの弱階層と強階層とがサイマル放送しているか否かを判定する（ステップＳ２２）。弱階層と強階層とがサイマル放送をしている場合には（ステップＳ２２のＹＥＳ）、さらに、制御情報を含む字幕情報を正常に受信して、正しくデコードすることができたか否かを判定する（ステップＳ２３）。正しくデコードすることができた場合には（ステップＳ２３のＹＥＳ）、前述した図２のフローチャートの処理手順と同じ処理手順によって、字幕情報の表示位置、表示領域、文字サイズなどを少なくとも調整する処理を行い、強階層の映像情報上の調整された表示位置、表示領域に、弱階層の字幕情報から編集した編集字幕情報を表示する処理を行う（ステップＳ２４）。
【００４５】
かくのごとき処理手順を行うことにより、指定したチャンネルの受信状態があらかじめ定めた条件以下に劣化して、映像情報や音声情報の選択を、今まで選択していた弱階層からより受信感度が強い強階層に自動的に切り替える際に、当該チャンネルの弱階層と強階層とのサイマル放送がなされていることを確認すると同時に、今まで選択していた弱階層の字幕情報および字幕情報に関する付属情報（制御情報）を正しくデコードすることができた場合には、強階層の映像情報上に、弱階層の字幕情報に基づいて編集された字幕情報を自動的に表示させることによって、字幕情報の発言内容を発言している発言者を容易に把握することができる位置に字幕情報を表示することが可能になる。
【００４６】
なお、強階層の映像情報や音声情報を使用している際、字幕表示位置計算部１１にて計算した字幕情報の表示位置や表示領域に、弱階層の字幕情報を編集して表示するのではなく、強階層の字幕情報(テキスト)そのものを編集して表示するようにしても良い。
【００４７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００４８】
【図１】本発明による放送受信機のブロック構成の一例を示すブロック構成図である。
【図２】本発明による放送受信機の動作の一例を説明するためのフローチャートである。
【図３】本発明による放送受信機の動作の一例を説明するための説明図である。
【図４】本発明による放送受信機の動作の一例を説明するための説明図である。
【図５】本発明による放送受信機の動作の図２とは異なる例を説明するためのフローチャートである。
【図６】従来の放送受信機のブロック構成を示すブロック構成図である。
【図７】従来の放送受信機の問題を説明するための説明図である。
【図８】従来の放送受信機の問題を説明するための説明図である。
【符号の説明】
【００４９】
１        チューナ部
２        ＯＦＤＭ復調部
３        ＤＥＭＵＸ部
４        ＣＰＵ
５        デコーダ部
６        Ｄ／Ａ部
７        ＯＳＤ部
８        音声出力部
９        映像出力部
１０      サイマル判定部
１１      字幕表示位置計算部
１２      遅延回路制御部
２１      チューナ部
２２      ＯＦＤＭ復調部
２３      ＤＥＭＵＸ部
２４      ＣＰＵ
２５      デコーダ部
２６      Ｄ／Ａ部
２７      ＯＳＤ部
２８      音声出力部
２９      映像出力部
【図１】
2009171393.tif 000003
【図２】
2009171393.tif 000004
【図３】
2009171393.tif 000005
【図４】
2009171393.tif 000006
【図５】
2009171393.tif 000007
【図６】
2009171393.tif 000008
【図７】
2009171393.tif 000009
【図８】
2009171393.tif 000010